(57)【要約】【課題】  改良土壌付き水遣り省力プランターの利点を実用的に活用した省力プランターいすを提供する。【解決手段】  底部に排水孔を設けた筐体内に、土壌層を２層式とし、機能分化させ、上層（Ａ層）で細根を、伸長しやすい環境を作り、下層（Ｂ層）で最大容水量を確保するようにした改良土壌付き水遣り省力プランターを格納し、上記筺体に透水性を備えた蓋部を開閉自在に装着した。また、格納される省力プランターをプランターの底部に貯水カップを複数個ハニカム状に置く事により、上部からの土重に耐える構造を備えた改良土壌付き水遣り省力プランターとした。【選択図】  図３
2005323592.tif 000002
【特許請求の範囲】
【請求項１】
底部に排水孔を設けた筐体内に、土壌層を２層式とし、機能分化させ、上層（Ａ層）で細根を、伸長しやすい環境を作り、下層（Ｂ層）で最大容水量を確保するようにした改良土壌付き水遣り省力プランターを格納し、上記筺体に透水性を備えた蓋部を開閉自在に装着してなることを特徴とする省力プランターいす。
【請求項２】
底部に排水孔を設けた筐体内に、プランターの底部に貯水カップを複数個ハニカム状に置く事により、上部からの土重に耐える構造を備えた改良土壌付き水遣り省力プランターを格納し、上記筺体に透水性を備えた蓋部を開閉自在に装着してなることを特徴とする省力プランターいす。
【請求項３】
底部に排水孔を設けた筐体内に、土壌層と貯水カップの間を、鉢底ネットで隔離し、その間を吸水紐で繋ぎ、毛管現象を利用して土壌層に適度な水分を供給する構造とした改良土壌付き水遣り省力プランターを格納し、上記筺体に透水性を備えた蓋部を開閉自在に装着してなることを特徴とする省力プランターいす。
【請求項４】
筒状の筐体に枠体内の下側に貯水容器を設けるとともにこの貯水容器の上側に土壌層を設け、これらの間に土壌層を保持しかつ水分を通す保持部材を配設し、上記筺体に透水性を備えた蓋部を開閉自在に装着し、蓋部に人の着座面を形成してなることを特徴とする省力プランターいす。
【発明の詳細な説明】
【技術分野】
【０００１】
本発明は、省力プランターいすに関する。
【背景技術】
【０００２】
従来のプランターにおける水遣り省力装置は、貯水槽が単一槽で、その上部の土層重に耐えるための特別な支持台を必要としたり、外付け給水装置など、外観的に複雑で、かつ高価なものが多い。さらに土壌本来の保水性および透水性が考慮されていないので、植物生育が劣る欠点があった。 一方、毎日の水遣り作業を怠り、数日間水遣りをしないと、植物が枯死することは勿論である。
このような事情に対して、プランター植物栽培における土壌改良と、潅水省力化を図った技術として、特開２００２−９５３５３号（特許文献１）に係る改良土壌付き水遣り省力プランターが知られている。
本発明は、このような改良土壌付き水遣り省力プランターを活用するべく考案されたものである。
【特許文献１】特開２００２−９５３５号公報
【発明の開示】
【発明が解決しようとする課題】
【０００３】
本発明は、改良土壌付き水遣り省力プランターの利点を実用的に活用した省力プランターいすを提供することを目的とする。
【課題を解決するための手段】
【０００４】
上記目的を達成するために、本発明に係る省力プランターいすは、その一つの形態として、底部に排水孔を設けた筐体内に、土壌層を２層式とし、機能分化させ、上層（Ａ層）で細根を、伸長しやすい環境を作り、下層（Ｂ層）で最大容水量を確保するようにした改良土壌付き水遣り省力プランターを格納し、上記筺体に透水性を備えた蓋部を開閉自在に装着してなることを特徴とする。
【０００５】
また、本発明に係る省力プランターいすは、他の形態として、底部に排水孔を設けた筐体内に、プランターの底部に貯水カップを複数個ハニカム状に置く事により、上部からの土重に耐える構造を備えた改良土壌付き水遣り省力プランターを格納し、上記筺体に透水性を備えた蓋部を開閉自在に装着してなることを特徴とする。
【０００６】
またさらに、本発明に係る省力プランターいすは、さらに他の形態として、底部に排水孔を設けた筐体内に、土壌層と貯水カップの間を、鉢底ネットで隔離し、その間を吸水紐で繋ぎ、毛管現象を利用して土壌層に適度な水分を供給する構造とした改良土壌付き水遣り省力プランターを格納し、上記筺体に透水性を備えた蓋部を開閉自在に装着してなることを特徴とする。
【０００７】
本発明に係る省力プランターいすは、他の形態として、筒状の筐体に枠体内の下側に貯水容器を設けるとともにこの貯水容器の上側に土壌層を設け、これらの間に土壌層を保持しかつ水分を通す保持部材を配設し、上記筺体に透水性を備えた蓋部を開閉自在に装着し、蓋部に人の着座面を形成してなることを特徴とする。
【発明の効果】
【０００８】
本発明によれば、改良土壌付き水遣り省力プランターの利点を実用的に活用した省力プランターいすが提供される。
【発明を実施するための最良の形態】
【０００９】
以下に、添付した図面を参照して、本発明に係る省力プランターいすの実施の形態を説明する。
【００１０】
図１〜図３に本発明に係る省力プランターいすの一実施の形態を示す。なお、図1、図
２は、プランター本体を格納していない状態を表している。この省力プランターいす１００は、筺体１０１と蓋１０２から成る。筺体１０１は、この省力プランター１００に人が座った際又はある程度の衝撃力を持って人が座ろうとした際、十分な耐荷重性及び耐衝撃性を備えている。また、少なくとも２年以上の長期に亘って使用されてもその強度を維持することのできる耐候性のある素材で構成されている。好適には、例えば、金属性のフレームに、そのような特性を持つ強化プラスチック等の壁面を組み込んで構成することができる。また、この筺体１０１の底板１０１ａには、複数の排水孔１０３が設けられている。
【００１１】
上記蓋１０２は、左右の一対の波型骨組み１０７、１０７とこれらを連結する４本の補強ロッド１１０からなる枠組み１０５を設けている。波型骨組み１０７、１０７は平板形状であり、補強ロッド１１０は円形断面の軸状部材で形成されている。蓋１０２は、波型骨組み１０７、１０７の一端部に形成した左右のヒンジ１０４によって、開閉自在に筺体１０１に装着されている。筐体１０１の内側には、ヒンジ１０４を受けるコーナステー１１１が取付けられている。このコーナステー１１１は、筐体１０１を補強する役割も果たす。
蓋１０２は、枠組１０５に金属製ネット１０６を固定した形態として構成されている。この蓋１０２は、人が座る際の座部を構成し、筺体１０１と同様、十分な耐荷重性及び耐衝撃性を備え、少なくとも２年以上の長期に亘って使用されてもその強度を維持することのできる耐候性を備えている。一般的には、防食性をもつべく、ステンレス製であったり、そうでなければ、めっき処理を表面に施している。さらには、強度の大きなアクリル板などの透明な樹脂を使用して、穴などを開けるようにしてもよい。
【００１２】
蓋１０２の波型骨組み１０７、１０７は、上記したように一端にヒンジ１０４が形成されると共に、他端は、下垂部１０８、１０８となっている。下垂部１０８、１０８は、図示のように先細状に構成されており、その先端が、筺体１０１の穴１０９、１０９に嵌入するようになっている。波型骨組み１０７、１０７の形状、中間部が低くなっており、これに蓋１０２形状を合わすことにより、人が蓋１０２面に着座するときに、人の腰が当たる部位すなわち、蓋１０２の中間位置を低くして腰が安定するようにしている。
【００１３】
図２は、平面図であるが、蓋１０２を閉じた状態を示している。この状態では、下垂部１０８、１０８の先端が穴１０９、１０９に嵌入し、人が座ることができる状態となっている。下垂部１０８、１０８は先細状であり、所定深さまで入り込むと、穴１０９，１０９に深入りできなくなり、それ以上蓋１０２が閉じ方方向に下降することはない。
【００１４】
次に、図３を参照して、改良土壌付き水遣り省力プランターを省力プランターいすに格納する手順について説明する。
【００１５】
この改良土壌付き水遣り省力プランターは、土壌改良を行い土壌の保水性を高めるとともに、プランター底部に貯水槽を配し、土壌と貯水槽の間を吸水紐で繋ぐことにより土壌に畑状態水分を常時補給し、植物の旺盛な生育を実現している。この改良土壌付き水遣り省力プランターを、省力プランターいす１００に格納する手順は、以下の通りである。
【００１６】
筺体１０１の底に、２リットル容角型ペットボトルを下から約９cmのところでカットした貯水カップ３をハニカム状に並べる。貯水カップ３に水を張る。
次いで、図４に示す鉢底ネット５を筺体１０１の底面の面積に合わせてカットする。そして、各貯水カップ３のそれぞれの中心対応する位置の鉢底ネット５に切り込みを入れる。また、吸水紐６を適当な本数とり、上記各切り込み個所に挟み込む。下部は貯水カップ３の底に着く程度の長さとし、上部（図示せず）も同じ位の長さになるようにする。 貯水カップ３
の上面に鉢底ネット５をかぶせ、吸水紐６を各貯水カップ３の水に漬ける。
なお、水受けとしての貯水カップ５を複数用いているが、丸型ペットボトルをカットした横断面が円形のものを使用してもよい。さらには、それらのペットボトルの容器に相当するカップ状容器も使用できるし、１つのトレイを底部に配設するようにしてもよい。
【００１７】
土壌を容積比で1部、堆肥を容積比で1部およびパーライトを容積比で1部を等量混合して下層土（Ｂ層土）８を調整する。筺体１０１の鉢底ネット５の上部に、筺体１０１の天端と鉢底ネット５までの中間位置まで、下層土（Ｂ層土）８を静かに入れる。
【００１８】
土壌を容積比で1部、堆肥を容積比で1部を等量混合して上層土（Ａ層土）７を調整する。プランター内の下層土（Ｂ層土）８の上部よりプランターの天端まで入れる。
【００１９】
筺体１０１内の上層土（Ａ層土）７に苗を定植し、その上部より水を如雨露などで散水する。この時、筺体１０１の排水孔１０３より余剰水が漏出するまで、十分に給水する。
【００２０】
ここで用いることのできる土壌は、田子の浦港推定土砂を浚渫し、ごみ、粗大廃棄物、石れき等の異物を除去したのち、脱塩、脱水、脱臭した精製土を用いたが、特にこれに限定しない。粘土および砂が少ない沖積土、港積土、森林土あるいは火山灰土でも供することができる。
【００２１】
ここで用いることのできるたい肥は、伐採木、剪定枝等をさらに、長繊維状に破砕した原料に畜ふん等の肥料成分を含んだものを添加し、充分に完熟したものが望ましいが、これに限定しない。細かいバークたい肥、藁たい肥、その他の有機たい肥のうち保水性の高いもであればよい。
【００２２】
ここで用いることのできる上層土（Ａ）および下層土（Ｂ）の資材の配合比は、特に限定しない。供した土壌の土性によって、適宜調整する。
【００２３】
吸水紐６は床掃除用モップの紐が簡便で毛管湿潤力が強いので好適であるが、特に限定するものではなく、他に給水力の強い紐であるならこれに使用できる。
【００２４】
このようにして格納される改良土壌付き水遣り省力プランターの性能を試した試験例を次に説明する。
【００２５】
試験例
図３について説明した改良土壌付き水遣り省力プランターを用いて植物を栽培した試験例（Ａ区）を説明する。比較対照として、同形のプランターに土壌＋堆肥（１＋１）を用いた試験鉢（Ｂ区）および土壌のみを入れた試験鉢（Ｃ区）を用いた。供試植物はポーチュラカを用いた。
【００２６】
定植初日より、６日間晴天が続き、この間の給水はなかったが、総重量の減少量は、Ａ２．０５ｋｇ、Ｂ１．３５ｋｇおよびＣ１．４０ｋｇであった。試験区Ａは植物の生育状態が良好な為、植物による水分の蒸散が大きいことを示している。しかし、底部の貯水カップの効果で、土壌表面は常に良好な湿り気を帯びていた。対照的に、試験区Ｂは植物の生育状態はＡに続くものの、土壌表面は、乾燥し始めていた。Ｃ試験区は、試験２日目より、表面の乾燥が見られ、明らかに水分不足が起き始めていた。Ｃ試験区の茎の伸長状態は、Ａの約５０％で、花の付きも良くなかった。ＢはＡの約７０％の伸長状態だった。
【００２７】
定植７日目および８日目は雨天で各プランターに降雨による給水が行われた。この降雨によりＡは、初日より１．１５ｋｇ増、Ｂは、０．７８ｋｇの増量が認められた。しかし、Ｃにおいては、大量の降雨にもかかわらず、初日より、１．３ｋｇの減量に留まっている。これは、Ａが、土壌保水力が大きく、Ｂも堆肥の混合により、ある程度の保水性を示した。Ｃの減少の原因は、表面の強い乾燥によって土壌の固結による保水力の低下のため、雨水を充分に吸着保持できなかったと考えられる。
【００２８】
晴天時の水分の一日当たり減少量は、Ａ０．６ｋｇ、Ｂ０．５ｋｇ，  Ｃ０．１７ｋｇとなっており、試験区Ａの土壌状態は常に畑状態水分に保持されており、長期間の水遣りなしでも、植物に理想的な水分状態を提供する効果があった。
【００２９】
このように、約３週間の炎天下の夏でも水遣りなしで、植物は旺盛に生育できる。
したがって、このような改良土壌付き水遣り省力プランターを格納した本発明に係る省力プランターいすは、蓋１０２が透水性であることから、改良土壌付き水遣り省力プランターの利点を損なうことがない。したがって、都市の公園、花壇、ベランダあるいは玄関等に設置することにより、使用者に対し、植物観賞の機会を提供しつつ、休息の場ともなるという独特の効果を奏し、かつ、そのような機能を保持するための特段のメンテナンスを施さずとも、例えば、夏の炎天下でも長期にわたって使用を継続できるという優れた効果を奏する。
【００３０】
図５は、本発明の第２の実施形態である。上記第１の実施形態の省力プランターいす１００は、土壌を下層土８と上層土７に分けたが、本実施の形態では、土壌に培養土９を用いて一層式とした。その他の構成については上記第１の実施の形態と同じである。
本実施形態では、土壌の種類を培養土の一種にしたが、給水紐６の太さや本数に応じて、水分を調整することにより、栄養分の良い培養土であれば、植物の旺盛な生育が確認された。
【００３１】
以上、本発明の実施の形態について説明したが、勿論、本発明はこれに限定されることなく本発明の技術的思想に基いて種々の変形及び変更が可能である。
例えば、上記第１及び第２の省力プランターいす１００の筐体１０１の形状については、横断面形状を四角形としたが、省力プランターいす１００が配置される施設に応じて、四角形以外の多角形、例えば三角形や五角形などの形状としてもよく、円形としてもよい。これらの形状にしたがって、蓋１０２の形状を対応させてもよく、異形状にしてもよい。
また、筐体１０１をボックス状にしたが、筒状にすることも可能である。底板１０１ａを省略して地面にそのまま、上記したペットボトルやトレイなどの水受けを設けてもよく、その他の形状については、四角形の省力プランターいす１００と同様にできる。
【図面の簡単な説明】
【００３２】
【図１】本発明の第１の実施の形態に係る省力プランターいすを説明する斜視図である。
【図２】図１の省力プランターいすを説明する平面図である。
【図３】図１の省力プランターいすを説明する横断面図である。
【図４】図１の省力プランターいすに使用している鉢底ネットの斜視図である。
【図５】本発明の第２の実施の形態に係る省力プランターいすを説明する斜視図である。
【符号の説明】
【００３３】
３        貯水カップ
５        鉢底ネット
６        吸水紐
１００    省力プランター
１０１    筺体
１０２    蓋
１０３    排水孔
１０４    ヒンジ
【図１】
2005323592.tif 000003
【図２】
2005323592.tif 000004
【図３】
2005323592.tif 000005
【図４】
2005323592.tif 000006
【図５】
2005323592.tif 000007